(57)【要約】      （修正有）【課題】極めて簡単な構成で、低コストであり、パネル面積に応じた架台のサイズ変更要請に対しても容易に変更調製することができる太陽電池パネルの架台装置を提供する。【解決手段】装置は、側面視Ｌ字縦部３０、４０と側面視Ｌ字底部３００、４００とを有し、太陽電池パネルの低位側を下から受けるコンクリート製の低位支持Ｌ字架台３と、側面視Ｌ字縦部と側面視Ｌ字底部とを有する。さらに、太陽電池パネル２の高位側を下から受けるコンクリート製の高位支持Ｌ字架台４と、それぞれの架台がＬ字と逆Ｌ字の関係で配置されるように、それらの側面視Ｌ字底部は、互いに近接する方向に延設させ、Ｌ字底部どうしを着脱自在に重畳させて連結する連結機構５と、を含む。低位支持Ｌ字架台３と、高位支持Ｌ字架台４と、を連結させた状態でＵ字状の無基礎一体化架台６を形成する。 【選択図】図１
0003175359.tif 000002
【実用新案登録請求の範囲】
【請求項１】
所要の地上高さにおいて所要の勾配で傾斜して配置される太陽電池パネルと、
側面視Ｌ字縦部と同Ｌ字縦部から略直角で横方向に延設された側面視Ｌ字底部とを有し、太陽電池パネルの低位側を下から受けるコンクリート製の低位支持Ｌ字架台と、
側面視Ｌ字縦部と同Ｌ字縦部から略直角で横方向に延設された側面視Ｌ字底部とを有し、太陽電池パネルの高位側を下から受けるコンクリート製の高位支持Ｌ字架台と、
それぞれの架台がＬ字と逆Ｌ字の関係で配置されるように、それらの側面視Ｌ字底部は、互いに近接する方向に延設させ、Ｌ字底部どうしを着脱自在に重畳させて連結する連結機構と、を含み、
低位支持Ｌ字架台と、高位支持Ｌ字架台と、を連結させた状態でＵ字状の無基礎一体化架台を形成することを特徴とする太陽電池パネルの架台装置。
【請求項２】
低位支持Ｌ字架台の側面視Ｌ字底部は、先端が高位支持Ｌ字架台の側面視Ｌ字底部の基端部まで延設されていることを特徴とする請求項１記載の太陽電池パネルの架台装置。
【請求項３】
高位支持Ｌ字架台の側面視Ｌ字底部が低位支持Ｌ字架台の側面視Ｌ字底部の上面に載置して重畳する状態で連結されることを特徴とする請求項１又は２記載の太陽電池パネルの架台装置。
【請求項４】
高位支持Ｌ字架台の正面幅サイズは、低位支持Ｌ字架台の正面幅サイズよりも小さく形成されて脚状架台を形成しており、
１つの低位支持Ｌ字架台に対して、複数の高位支持Ｌ字架台が締結固定されることを特徴とする請求項１ないし３のいずれかに記載の太陽電池パネルの架台装置。
【請求項５】
低位支持Ｌ字架台の側面視Ｌ字底部には、高位支持Ｌ字架台の側面視Ｌ字底部を重畳した状態で着脱連結するための複数の締結用穴が穿穴されていることを特徴とする請求項１ないし４のいずれかに記載の太陽電池パネルの架台装置。
【請求項６】
低位支持Ｌ字架台の側面視Ｌ字縦部の壁体に１個又は複数の大貫通孔が設けられていることを特徴とする請求項１ないし５のいずれかに記載の太陽電池パネルの架台装置。
【考案の詳細な説明】
【技術分野】
【０００１】
本考案は、太陽電池パネルの支持用の架台装置に係り、特に、メガワット級の太陽電池電力生成装置用の太陽電池パネル支持に好適な太陽電池パネルの架台装置に関する。
【背景技術】
【０００２】
排出物による環境汚染がなく、石油資源などの燃料消費がない、さらに、無尽蔵の太陽光を直接電気に変える太陽電池はエネルギー変換効率さえ向上させることができれば、理想的な電力源であり、エネルギー変換効率向上のための研究、開発が現に絶えることなくなされている現状では、魅力的な電力エネルギー生成源としての選択肢の一つである。特に、先の東北大地震に伴う原子力エネルギー依存への警鐘を鳴らす事故を生じるに至っては、太陽光発電に寄せる期待はますます高いものとなっている。
【０００３】
太陽光発電は、シリコンなどの半導体中に光が入射する際に光が半導体原子に衝突して生じる光量子効果などにより直接電気を発生させるものであり、半導体セルを集合させて太陽電池モジュールを構成し、複数の太陽電池モジュールを薄い平板状にパネル化した太陽電池パネルのパネル面を照射効率が良い傾斜角度に配置させて直接に太陽光を取り込むことで発電エネルギーを得るようにしたものである。太陽電池パネルは照射効率を考慮した所定の傾斜角度に安定して長期に保持することが必要であり、特に、風圧や地震等の地盤振動に対しても耐性を有する支持構造が求められる。さらに、太陽光による電力生成については、太陽電池受光面を大面積とした発電が必要であり、太陽電池パネルをアレー状に連設した状態で保持するという機能面から、大面積のパネル支持が可能な低コストの架台構造が求められる。従来、太陽電池パネルの支持用架台として例えば特許文献１のものが提案されている。
【先行技術文献】
【特許文献】
【０００４】
【特許文献１】特開２００３−２２１９０６号公報
【考案の概要】
【考案が解決しようとする課題】
【０００５】
特許文献１の太陽電池パネル用の架台は、太陽電池パネル２（以下、この段落番号０００５において、特許文献１で使用された番号を付する。）を保持するホルダ部３３と、太陽電池パネル２の周縁部に接触して、太陽電池パネル２をホルダ部３３に固定する固定部材４と、パネル設置場所の上に載置され、自重又は自重と他部材との加算荷重により太陽電池パネルがパネル設置場所から動かないように安定させる基礎部である脚３７，３８とを具備する構成である。この特許文献１の架台では、一応、据付の容易性や別途に基礎を設ける必要がない、等の効果を得ることができるといえる。しかしながら、この特許文献１の架台では、太陽電池パネル面積に対応した大きさの矩形枠体のコンクリート製ホルダ部３３，４３，５３の四隅から４個の脚を下方に伸ばせて一体化した構造であるから、コンクリート型枠構造において、多くの可動部分が必要となったり、構造が複雑化し、これがコンクリート成形品の製造コストに反映してコスト高となっていた。また、特許文献１の架台では、パネル面積やアレイ状の組付け構成が変わるごとに新たなコンクリート２次製品製造が必要となり、見込み生産ができないばかりでなく、ストックヤードで平積みやパレット積みが必要となる点、移動や積み込み作業が簡単でない点、地面に対して４点支持となるので施工精度が要求され、作業時間がかかり進捗性に劣る等の問題がある。また、ホルダ部と脚部とを分解、組立方式とすると、部品管理や組立時間、施工精度の点でそれぞれ困難が生じるという問題がある。
【０００６】
本考案は上記従来の課題に鑑みてなされたものであり、その一つの目的は、極めて簡単な構成で低コストであり、さらに容易かつ短時間に太陽電池パネルを安定支持状態で現場設置を完了できる上に、工場での見込み生産が可能で大幅なコスト低減を可能とするとともに、パネル面積に応じた架台のサイズ変更要請に対しても容易に変更調製することができる太陽電池パネルの架台装置を提供することにある。
【課題を解決するための手段】
【０００７】
上記課題を解決するために本考案は、所要の地上高さにおいて所要の勾配で傾斜して配置される太陽電池パネル２と、側面視Ｌ字縦部３０と同Ｌ字縦部から略直角で横方向に延設された側面視Ｌ字底部３００とを有し、太陽電池パネルの低位側を下から受けるコンクリート製の低位支持Ｌ字架台３と、側面視Ｌ字縦部４０と同Ｌ字縦部から略直角で横方向に延設された側面視Ｌ字底部４００とを有し、太陽電池パネルの高位側を下から受けるコンクリート製の高位支持Ｌ字架台４と、それぞれの架台３、４がＬ字と逆Ｌ字の関係で配置されるように、それらの側面視Ｌ字底部３００，４００は、互いに近接する方向に延設させ、Ｌ字底部どうしを着脱自在に重畳させて連結する連結機構５と、を含み、低位支持Ｌ字架台３と、高位支持Ｌ字架台４と、を連結させた状態でＵ字状の無基礎一体化架台６を形成する太陽電池パネルの架台装置１から構成される。対向配置した低位支持Ｌ字架台と、高位支持Ｌ字架台のＬ字底部どうしの重畳連結は基本的にはいずれを上に載置させる構成としても良い。また、Ｌ字底部の相互の対向端部に相かぎ状の切り欠きを形成して突合せ、その重畳部分において締結固定するようにしてもよい。また、１つの低位支持Ｌ字架台に対して複数の高位支持Ｌ字架台を組み合わせてもよいし、１つの低位支持Ｌ字架台に対し、１つの高位支持Ｌ字架台を連結して、１：１の連結構成とし、両側で高さの異なるＵ字形の太陽電池パネルの支持架台とすることもできる。
【０００８】
その際、低位支持Ｌ字架台３の側面視Ｌ字底部３００は、先端が高位支持Ｌ字架台４の側面視Ｌ字底部４００の基端部４００ａまで延設されているとよい。
【０００９】
また、高位支持Ｌ字架台４の側面視Ｌ字底部４００が低位支持Ｌ字架台３の側面視Ｌ字底部３００の上面に載置して重畳する状態で連結されるようにしてもよい。
【００１０】
また、高位支持Ｌ字架台４の正面幅サイズＷ２は、低位支持Ｌ字架台３の正面幅サイズＷ１よりも小さく形成されて脚状架台を形成しており、１つの低位支持Ｌ字架台３に対して、複数の高位支持Ｌ字架台４，４・・・が締結固定されるようにするとよい。
【００１１】
また、低位支持Ｌ字架台３の側面視Ｌ字底部３００には、高位支持Ｌ字架台４の側面視Ｌ字底部４００を重畳した状態で着脱連結するための複数の締結用穴３８、３８・・・が穿穴されているようにするとよい。
【００１２】
また、低位支持Ｌ字架台３の側面視Ｌ字縦部３００の壁体に１個又は複数の大貫通孔３１が設けられているとなおよい。
【考案の効果】
【００１３】
本考案の太陽電池パネルの架台装置によれば、所要の地上高さにおいて所要の勾配で傾斜して配置される太陽電池パネルと、側面視Ｌ字縦部と同Ｌ字縦部から略直角で横方向に延設された側面視Ｌ字底部とを有し、太陽電池パネルの低位側を下から受けるコンクリート製の低位支持Ｌ字架台と、側面視Ｌ字縦部と同Ｌ字縦部から略直角で横方向に延設された側面視Ｌ字底部とを有し、太陽電池パネルの高位側を下から受けるコンクリート製の高位支持Ｌ字架台と、それぞれの架台がＬ字と逆Ｌ字の関係で配置されるように、それらの側面視Ｌ字底部は、互いに近接する方向に延設させ、Ｌ字底部どうしを着脱自在に重畳させて連結する連結機構と、を含み、低位支持Ｌ字架台と、高位支持Ｌ字架台と、を連結させた状態でＵ字状の無基礎一体化架台を形成する構成であるから、極めて簡単な構成で低コストであり、さらに容易かつ短時間に太陽電池パネルを安定支持状態で現場設置を完了できる上に、工場での見込み生産が可能で大幅なコスト低減を可能とするとともに、パネル面積に応じた架台のサイズ変更要請に対しても容易に変更調製することが可能である。また、低位支持Ｌ字架台の側面視Ｌ字底部を壁体の底版プレートすることにより、地面に載置するだけで支持基礎を形成でき、地中基礎等が不要で設置場所も任意に設定できる。高位支持Ｌ字架台は１個以上であればよい。また、高位支持Ｌ字架台の側面視Ｌ字底部の低位支持Ｌ字架台のＬ字縦部方向の延設長さは、低位側Ｌ字縦部の側壁面近傍まで長く設置しても、あるいは中途で終端させてもよい。
【００１４】
また、低位支持Ｌ字架台の側面視Ｌ字底部は、先端が高位支持Ｌ字架台の側面視Ｌ字底部の基端部まで延設されている構成であるから、低位支持Ｌ字架台のＬ字底部の上面に高位支持Ｌ字架台のＬ字底部を載置させた状態で両者を締結させることにより、位置決め後のボルト締結作業等の簡単な作業と短時間の施工で作業を完了させることができる。また、低位支持Ｌ字架台のＬ字底部の上面に高位支持Ｌ字架台のＬ字底部を載置させた状態での両者の連結固定を具体的に実現させることができる。
【００１５】
また、高位支持Ｌ字架台の側面視Ｌ字底部が低位支持Ｌ字架台の側面視Ｌ字底部の上面に載置して重畳する状態で連結される構成であるから、極めて簡単な構成で容易かつ短時間に太陽電池パネルを安定支持状態で現場設置を完了でき、低コストであり、しかも、工場での見込み生産が可能で大幅なコスト低減を可能とするとともに、パネル面積に応じた架台のサイズ変更要請に対しても容易に変更調製することが可能である。
【００１６】
また、高位支持Ｌ字架台の正面幅サイズは、低位支持Ｌ字架台の正面幅サイズよりも小さく形成されて脚状架台を形成しており、１つの低位支持Ｌ字架台に対して、複数の高位支持Ｌ字架台が締結固定される構成であるから、主要の構成要素をＬ字の架台のみとしつつ、高位支持Ｌ字架台を低位支持Ｌ字架台に比して幅狭のＬ字架台とし、１つの低位支持Ｌ字架台に対して複数の高位支持Ｌ字架台を配置させて固定させることで、太陽電池パネル面積に応じた架台のサイズ変更を具体的に実現し得る。さらに、高位支持Ｌ字架台を幅狭のＬ字架台としているから、装置全体の軽量化を達成しつつ太陽電池パネルの安定支持を行なえるとともに、高位支持Ｌ字架台間の開放部位を確保して架台内の熱滞留を防止し太陽電池パネルによる電力生成効率維持に寄与させることができる。
【００１７】
また、低位支持Ｌ字架台の側面視Ｌ字底部には、高位支持Ｌ字架台の側面視Ｌ字底部を重畳した状態で着脱連結するための複数の締結用穴が穿穴されている構成であるから、低位支持Ｌ字架台のＬ字底部の上面に高位支持Ｌ字架台のＬ字底部を載置させた状態で両者を締結させる構成を具体的に実現することができる。
【００１８】
また、低位支持Ｌ字架台の側面視Ｌ字縦部の壁体に１個又は複数の大貫通孔が設けられている構成であるから、架台内の熱放散、架台全体の軽量化、メンテナンス作業のしやすさに資する。
【図面の簡単な説明】
【００１９】
【図１】本考案の第１実施形態に係る太陽電池パネルの架台装置の側面図である。
【図２】図１の装置の分解斜視説明図である。
【図３】図１の装置の太陽電池パネルを省略して高位支持Ｌ字架台を低位支持Ｌ字架台から分離させて示した状態の側面図である。
【図４】図１の装置の高位支持Ｌ字架台の正面図である。
【図５】それぞれのＬ字架台のＬ字縦部の上端壁部分に設置された太陽電池パネルの傾斜支持装置の一部省略拡大正面図である。
【図６】図５の太陽電池パネルの傾斜支持装置部分の分解斜視説明図である。
【図７】低位支持Ｌ字架台の隣接の密着架台との連結機構の拡大斜視説明図である。
【図８】図１の装置を複数密接並置させて太陽電池パネルを傾斜支持させる状態を示す全体斜視説明図である。
【図９】本考案の第２実施形態に係る太陽電池パネルの架台装置の分解斜視説明図である。
【図１０】図９の装置について、太陽電池パネルを傾斜支持させる状態を示す全体斜視説明図である。
【考案を実施するための形態】
【００２０】
以下、添付図面を参照しつつ本考案の太陽電池パネルの架台装置の実施の形態について説明する。本実施形態の太陽電池パネルの架台装置は、複数の半導体セルを集合させて太陽電池モジュールを構成し、複数の太陽電池モジュールを薄い平板状にパネル化した太陽電池パネルの架台装置であるが、本発明の太陽電池パネルの架台装置は、複数の太陽電池パネルを相互接続してアレイ状に並列させて大型パネル化したもの全体の傾斜支持から、一方では、小型の太陽電池パネルの独立架設支持まで、幅広く適用することができる。
【００２１】
図１ないし図８は、本考案の第１実施形態の太陽電池パネルの架台装置を示しており、図において、太陽電池パネルの架台装置１は、側面視でＬ字状のコンクリート製壁構造体のみを主構成要素としてこれらの複数個を組付けてＵ字状の一体化架台を形成して成るものであり、実施形態の太陽電池パネルの架台装置１は太陽電池パネル２と、低位支持Ｌ字架台３と、高位支持Ｌ字架台４と、連結機構５と、無基礎一体化架台６と、を含む。
【００２２】
実施形態において、太陽電池パネル２は、例えば、８枚の単位太陽電池パネルをマトリクス状に配置して、例えば縦方向の長さが約３ｍ程度、横方向の長さが約１．５ｍ程度の縦長矩形状としそれぞれ外部から保護された状態で電気配線して矩形支持フレームに取り付けた状態で支持されている。図示しないが、太陽電池パネルどうしは電気的に直列接続され、並列接続で電力を取り出し、交流変換してパワーコンディショナや電力制御装置で外部に供給される。太陽電池パネル２はパネル面への太陽光の照射効率向上のために、所要の地上高さにおいて、所要の勾配で傾斜して配置される。
【００２３】
図２は、本実施形態の太陽電池パネルの架台装置の架台部分の分解斜視図であり、図２中で、矢視Ｘ方向を正面視、Ｙ方向を側面視とする。図において、低位支持Ｌ字架台３は、太陽電池パネルの低位側を下から受ける鉄筋コンクリート製の架台手段であり、図１にも示すように、略鉛直方向に沿って配置される側面視Ｌ字縦部３０と同Ｌ字縦部から略直角で横方向に延設された側面視Ｌ字底部３００とを有する。低位支持Ｌ字架台３は、側面視Ｌ字縦部３０と、側面視Ｌ字底部３００とをコンクリート一体成形により側面視Ｌ字状に一体化して構成しており、図に示すように、Ｌ字縦部３０の高さより充分に長い長さで側面視Ｌ字底部３００が一方向に延設されている。側面視Ｌ字縦部３０と側面視Ｌ字底部３００とは基本的には、厚さが同じ壁体であり、これらが一体化された低位支持Ｌ字架台３は、地面側に接地される底部３００が台盤状に広く設定されたコンクリート製底壁であり、その端部から略直角状に短くＬ字縦部３０の壁体を立ち上げた構成となって、極めて安定した構造となっている。すなわち、低位支持Ｌ字架台３は、矩形の底壁プレートの一片側から略直角に縦壁プレートを立ち上げて側面視Ｌ字架台とした一体成形体で構成されている。本実施形態では、低位支持Ｌ字架台３の側面視Ｌ字縦部３０の壁体に２個の大貫通孔３１が設けられており、架台内側の熱放出による太陽電池パネルの電力生成機能保持、メンテナンス作業の利便、軽量化確保を行ないやすくしている。
【００２４】
低位支持Ｌ字架台３の側面視Ｌ字縦部３０の壁体は正面視（Ｘ）で、横長矩形枠で形成されており、その上端平面部には、太陽電池パネルの傾斜低位側支持装置の取付用インサート穴３２が複数個、間隔をあけて一列に設置されている。太陽電池パネルの傾斜低位側支持装置の構成は任意の構成とすることができる。太陽電池パネルのフレームとＬ字縦部３０との連結を行う構成としてもよいし、また、Ｌ字縦部３０にフレーム部材の嵌合を受ける部位を設けて太陽電池パネルのフレームを直接に嵌合させる構成とすることもできる。本実施形態では、図５，６のように、長手方向に２つ割れ可能な一側面が傾斜した角パイプ部材３３，３３と補強枠３４と複数の締結部材３５とにより太陽電池パネルのフレームを傾斜状態で固定支持している。また、側面視Ｌ字縦部３０の壁体の幅方向両端の上部寄りには低位支持Ｌ字架台３を密着並列させて設置する際の位置合わせ兼位置決め用の切欠き３６が設けられている。切欠き３６部分には連結用固定ボルトのインサート穴が設けられており、固定用プレートなどを両架台の端部に跨らせて連結固定させることができる。
【００２５】
前述したように、低位支持Ｌ字架台３のＬ字縦部３０の高さより充分に長い長さでＬ字縦部３０の下端部から略直角に側面視Ｌ字底部３００が一方向に延設されており、その先端側は、高位支持Ｌ字架台４の側面視Ｌ字底部４００の基端部４００ａまで延設されている。図２、３において、低位支持Ｌ字架台３の側面視Ｌ字底部３００は矩形の壁プレート状に形成されており、その延長先端側はＬ字縦部３０の正面側の壁面と平行となる端壁面３７を形成している。そして、Ｌ字底部３００の延長先端側には、間隔をあけて直線列状に複数の締結用穴３８が上下を深さ方向としてメクラ穴で設けられている。実施形態において、締結用穴３８は、ボルト締め込み用の埋め込みインサート穴で形成されている。締結用穴３８の設置間隔や個数は任意に設定することができる。この締結用穴３８は、高位支持Ｌ字架台４の側面視Ｌ字底部４００を重畳した状態で着脱連結するためのものであり、特に本実施形態では図１に示すように、低位支持Ｌ字架台３の側面視Ｌ字底部３００の延長先端側の上面に端面を合わせた状態で高位支持Ｌ字架台４の側面視Ｌ字底部４００を載置させるだけの状態でＬ字底部３００，４００どうしを締結固定する。
【００２６】
図１ないし図４において、高位支持Ｌ字架台４は、太陽電池パネル傾斜支持させる状態の高位側を下から受ける鉄筋コンクリート製の架台手段であり、略鉛直方向に沿って配置される側面視Ｌ字縦部４０と同Ｌ字縦部から略直角で横方向に延設された側面視Ｌ字底部４００とを有する。本実施形態では、高位支持Ｌ字架台４は、１つの低位支持Ｌ字架台３Ａに対して２個の高位支持Ｌ字架台４Ａと、隣接する低位支持Ｌ字架台との間に跨って配置された他の１つの高位支持Ｌ字架台４Ｂ（図８参照）とを含み、それらの底部４００を低位支持Ｌ字架台の底部３００上に２枚板状に密着して載置して、連結固定されている。なお、高位支持Ｌ字架台４は、低位支持Ｌ字架台の底部３００の幅内に収まるように２個又は３個以上設ける場合だけでなく、１個のみを設けるようにしても良い。高位支持Ｌ字架台４の個数は任意に設定できる。また、隣接する低位支持Ｌ字架台との間に跨って配置する高位支持Ｌ字架台を設ける必要はなく、高位側の架台の間隔幅、架台の幅サイズも任意である。高位支持Ｌ字架台４の底部の低位支持Ｌ字架台側に向けた延設長さは低位支持Ｌ字架台の側面視Ｌ字縦部に届く程度の長さに設定しても良いし、実施形態の図のように、中途で終端させて構成してもよい。高位支持Ｌ字架台４は、側面視Ｌ字縦部４０と、側面視Ｌ字底部４００とをコンクリート一体成形により側面視Ｌ字状に一体化して構成しており、図に示すように、Ｌ字縦部４０の高さより短い長さで側面視Ｌ字底部４００が一方向に延設されている。Ｌ字縦部４０は正面視縦長四角形状で形成されており、その上端面には載置させる太陽電池パネルのフレーム支持用の傾斜高位側支持装置の取付用インサート穴４１が複数個、間隔をあけて一列に設置されている。なお、図６では、高位支持Ｌ字架台４のＬ字縦部４０側に取り付ける傾斜支持装置の例を示しているが、実施例において、低位支持Ｌ字架台３のＬ字縦部３０上端に設置する傾斜支持装置についても同様の構成の装置が配設されている。側面視Ｌ字縦部４０と側面視Ｌ字底部４００とは基本的には、厚さが同じ壁体であり、これらが一体化されて高位支持Ｌ字架台４が形成されている。すなわち、高位支持Ｌ字架台４は、矩形の底壁プレートの一片側から略直角に縦壁プレートを立ち上げて側面視Ｌ字架台とした一体成形体で構成されている。Ｌ字底部４００にはボルト等の締結部材挿入孔３９が上下方向に貫通して設けられている。図２、３に示すように、Ｌ字底部４００の平面視面積はＬ字縦部４０の正面視面積の２分の１以下程度の壁体でＬ字架台４は形成されている。そして、高位支持Ｌ字架台４の正面幅サイズＷ２は、低位支持Ｌ字架台の正面幅サイズＷ１よりも小さく形成されて脚状架台を形成している。それぞれの架台３，４は、Ｌ字と逆Ｌ字の関係で配置されるように、それらの側面視Ｌ字底部３００、４００は、互いに近接する方向に延設されて、Ｌ字底部どうしが連結固定される。すなわち、高位支持Ｌ字架台４のＬ字底部４００が低位支持Ｌ字架台３のＬ字底部３００上に重畳載置されて高低位支持Ｌ字架台３，４が一体化される。すなわち、低位支持Ｌ字架台３のＬ字縦部３０の壁体に対して、高位支持Ｌ字架台４のＬ字縦部４０は低位支持Ｌ字架台３の正面幅長さ間に配置される複数の脚状架台（図４参照９の壁体）で形成され、１つの低位支持Ｌ字架台３に対して、複数の高位支持Ｌ字架台４が締結固定されるようになっている。実施形態では、図８に示すように、例えば１つの低位支持Ｌ字架台３に２個プラス半分幅の高位支持Ｌ字架台４が互いに間隔をあけて直線列状に設置固定されている。したがって、架台装置内への熱の滞留を防止するとともに、施工性を良好にさせ、軽量化、低コスト化を図れる。
【００２７】
連結機構５は、低位支持Ｌ字架台３のＬ字底部３００と、高位支持Ｌ字架台４のＬ字底部４００とを着脱可能に連結して両架台を固定し一体化させる着脱連結手段であり、実施形態では、低位支持Ｌ字架台３のＬ字底部３００上に高位支持Ｌ字架台４のＬ字底部４００を端部位置を合わせた状態で載置して固定させる。具体的には、前述した高位支持Ｌ字架台４のＬ字底部４００の挿入孔３９と低位支持Ｌ字架台３のＬ字底部３００の締結用穴３８とを位置合わせし、締結ボルトにより締結固定することにより、高低位支持Ｌ字架台を一体化させる。設計変更等により太陽電池パネルサイズに対応した架台とする場合には、締結ボルトを抜脱して低位支持Ｌ字架台のＬ字底部３００に設けた締結用穴３８を異なる位置に設定することで自在に調整設定することができる。そして、低位支持Ｌ字架台と、高位支持Ｌ字架台と、を連結させることで、側面視Ｕ字状の一体化架台５０（図１参照）を形成する。この一体化架台５０は、低位支持Ｌ字架台３のＬ字底部３００がコンクリート製の厚板壁体プレートで形成されているので、地面に載置するだけで各Ｌ字縦部およびその上の太陽電池パネルを確実に支持することができる。すなわち、低位支持Ｌ字架台と、高位支持Ｌ字架台と、を連結させた状態でＵ字状の無基礎一体化架台を形成するものである。
【００２８】
なお、図２，３中４５は、低位支持Ｌ字架台の端壁に設けられた隣接の密着架台との位置決めピン穴、４６は、同じく低位支持Ｌ字架台の端壁に設けられた隣接の密着架台（低位支持Ｌ字架台）との連結機構であり、切欠き４７と埋め込みプレート４８と締め付けボルト４９により隣接の架台とを密着連結し固定することができる。なお、これら位置決めピン穴４５、連結機構はＬ字縦部の上端の太陽電池パネルフレームの支持装置やＬ字縦部の壁体の貫通孔３１と同様に、設置するか否か、あるいは具体的な構成や構造は限定的なものではなく、任意である。また、図１，５、８中、６０は、太陽電池パネル支持用フレーム部材のを示したものである。
【００２９】
上記のように高位支持及び低位支持のＬ字架台の着脱組立固定により実現する太陽電池パネルの架台装置は、Ｌ字型のプレキャストコンクリート製品製造並びに施工性の点で極めて優れた特性を有する。すなわちコンクリート型成形時における型内へのコンクリート原料の打設、鉄筋の配筋設定、固化後の脱型の点で例えば側面視Ｕ字形一体製品や矩形枠の四隅位置から一体に脚を垂下させた製品に比較して容易、簡単であり、低コスト製造が可能な点から有利である。例えばＬ字形とＵ字形ではＬ字形が底面打ち込みと５個取りの背面打ちで成形可能であるのに対し、Ｕ字形では側壁が両端から立ち上がるので、Ｌ字型よりはるかに複雑な型枠構成となり、コスト高となる。また、脱型を円滑に行なえるようにするために、立ち上がりの側壁対応部分に可動式の型枠部品を配設する必要があり、コスト並びに脱型作業に時間と慎重さが要求される。また、成形後のストックヤードでの収容時に段積みができ、比較的に小さな収容スペースに収容できる上に、小型リフトによる移動、輸送時の積み込みも小スペースで効率よく積載させることができる。さらに、高位支持及び低位支持のＬ字架台の着脱組立固定により高位支持Ｌ字架台の低位支持Ｌ字架台への取り付け位置を変更することにより太陽電池パネルのサイズの変更に際しても容易に対応できる結果、プレキャストコンクリート製品として見込み生産が可能である。さらに、これによって、よりコスト低減を促進させる。加えて、装置の設置現場では、低位支持Ｌ字架台へ高位支持Ｌ字架台を任意の位置に取り付けるだけであるから、施工が容易で短時間の施工により設置を完了させることができる。その他、装置全体としての軽量化、成形製造時の製品の反転のしやすさなどにおいて、他の公知の構造の架台に比して優れるものである。
【００３０】
図９，１０は、本考案の第２実施形態の太陽電池パネルの架台装置を示しており、図において、第１実施形態の太陽電池パネルの架台装置と同一部材には同一符号を付し、その詳細な説明は省略する。
【００３１】
この実施形態においては、高位支持Ｌ字架台４が低位支持Ｌ字架台３と同じ正面幅サイズで、１個のみ設けられ、低位支持Ｌ字架台３と高位支持Ｌ字架台４がそれぞれ各１個、計２個のＬ字架台のみで構成されている。この実施形態では、コンクリート型枠構造が極めて安価となり、コンクリート成形製品コストの低減に資する。
【００３２】
以上説明した本考案の太陽電池パネルの架台装置は架台の基本的な構成要素がコンクリート製のＬ字壁体のみで構成されており、製造、保管、運搬が容易で低コストであり、その上、太陽電池パネルの充分な支持機能を保持することができる。
【産業上の利用可能性】
【００３３】
本考案の太陽電池パネルの架台装置は、メガワット級の太陽電池電力生成装置用の太陽電池パネル支持ばかりでなく、小型の太陽電池パネルの独立架設支持まで、幅広く適用することができる。
【符号の説明】
【００３４】
１  太陽電池パネルの架台装置
２  太陽電池パネル
３  低位支持Ｌ字架台
４  高位支持Ｌ字架台
５  連結機構
６  無基礎一体化架台
３０  側面視Ｌ字縦部（低位）
３１  大貫通孔
３８  締結用穴
４０  側面視Ｌ字縦部（高位）
５０  一体化架台
３００  側面視Ｌ字底部（低位）
４００  側面視Ｌ字底部（高位）
【図１】
0003175359.tif 000003
【図２】
0003175359.tif 000004
【図３】
0003175359.tif 000005
【図４】
0003175359.tif 000006
【図５】
0003175359.tif 000007
【図６】
0003175359.tif 000008
【図７】
0003175359.tif 000009
【図８】
0003175359.tif 000010
【図９】
0003175359.tif 000011
【図１０】
0003175359.tif 000012